(57)【特許請求の範囲】
【請求項１】
電路に過電流或いは短絡電流が流れたら遮断機構部が動作して前記電路を遮断する過電流遮断機能に加えて、
外部からの遮断操作信号を受ける信号入力部と、遮断操作信号の入力を受けて新たな遮断操作信号を出力する信号出力部と、前記外部からの遮断操作信号を受けて前記遮断機構部を遮断動作させると共に、前記信号出力部から出力する信号を生成するブレーカ制御部とを備えていることを特徴とする外部制御機能付ブレーカ。
【請求項２】
電路の引き込み線が一次側に接続された主幹漏電ブレーカと、前記主幹漏電ブレーカの二次側電路に接続されて、前記電路の分岐電路を開閉するための複数の分岐ブレーカと、特定の震度以上の地震を感知したらその後の所定のタイミングで前記主幹漏電ブレーカを遮断動作させる感震リレーとを備えた感震遮断機能付分電盤であって、
前記感震リレーは、地震感知後の所定のタイミングで前記主幹漏電ブレーカを遅延遮断させる擬似漏電出力部に加えて、前記特定の震度以上の地震を感知したら即時に地震発生信号を出力する警報出力部を有し、
前記分岐ブレーカのうち少なくとも２つが、請求項１に記載の外部制御機能付ブレーカであると共に、前記遮断操作信号が前記地震発生信号であって、
前記警報出力部と任意の１つの前記外部制御機能付ブレーカの前記信号入力部とが接続されると共に、当該外部制御機能付ブレーカの前記信号出力部と他の外部制御機能付ブレーカの信号入力部とが接続され、
前記地震発生信号の伝送経路が、前記外部制御機能付ブレーカ間で直列に形成されて成ることを特徴とする感震遮断機能付分電盤。
【発明の詳細な説明】
【技術分野】
【０００１】
本発明は、外部からの信号で遮断動作する外部制御機能付ブレーカ、及び地震を感知したら擬似漏電を発生させる感震リレーを備えて、地震が発生したら主幹漏電ブレーカが遮断動作する感震遮断機能付分電盤に関する。
【背景技術】
【０００２】
従来より感震遮断機能を備えた分電盤がある。例えば特許文献１では、主幹漏電ブレーカの電路にコントロールユニット（感震リレー）を接続して、感震リレーに内蔵されている感震センサが地震を感知したら、その後停電発生のタイミング或いは復電のタイミング等所定のタイミングで主幹漏電ブレーカの電路に擬似漏電電流を発生させて遅延遮断動作させた。
【先行技術文献】
【特許文献】
【０００３】
【特許文献１】特開平９−２１５１７８号公報
【発明の概要】
【発明が解決しようとする課題】
【０００４】
上記従来の感震遮断機能付分電盤では、感震リレーを主幹漏電ブレーカに接続することで、主幹漏電ブレーカに感震遮断機能を組み込むこと無く二次側に接続されている全ての負荷の電源を遮断した。そして、上述したように即時に遮断するのではなく、地震発生後所定のタイミングで遮断動作させることで居住者はスムーズな避難が可能であった。
しかしながら、負荷の中には地震発生を受けて即時に電源を遮断するのが望ましいものもあり、そのためには分岐ブレーカを漏電遮断機能を備えた分岐漏電ブレーカとして別途感震リレーを必要とした。
【０００５】
そこで、本発明はこのような問題点に鑑み、感震リレー１台で主幹漏電ブレーカの遅延遮断と一部の分岐ブレーカの即時遮断の双方を実現する感震遮断機能付分電盤を提供すること、更にこの分電盤に好適な外部制御機能付ブレーカを提供することを目的としている。
【課題を解決するための手段】
【０００６】
上記課題を解決する為に、請求項１の発明に係る外部制御機能付ブレーカは、電路に過電流或いは短絡電流が流れたら遮断機構部が動作して電路を遮断する過電流遮断機能に加えて、外部からの遮断操作信号を受ける信号入力部と、遮断操作信号の入力を受けて新たな遮断操作信号を出力する信号出力部と、外部からの遮断操作信号を受けて遮断機構部を遮断動作させると共に、信号出力部から出力する信号を生成するブレーカ制御部とを備えていることを特徴とする。
この構成によれば、遮断操作信号を入力する信号入力部に加えて、遮断操作信号を出力する信号出力部を備えることで、外部の遮断操作信号で強制遮断するブレーカが複数設置されても、信号出力部を他のブレーカの信号入力部に接続して、ブレーカ間の遮断操作信号の経路が直列になるよう接続すれば、外部からの遮断操作信号を１つの外部制御機能付ブレーカの信号入力部に接続するだけで、強制遮断させたい全てのブレーカを遮断動作させることができる。よって、遮断操作信号を生成する機器は１つで良く省スペースで組み付けできるし、結線作業を簡略化できる。
【０００７】
請求項２の発明は、電路の引き込み線が一次側に接続された主幹漏電ブレーカと、主幹漏電ブレーカの二次側電路に接続されて、電路の分岐電路を開閉するための複数の分岐ブレーカと、特定の震度以上の地震を感知したらその後の所定のタイミングで主幹漏電ブレーカを遮断動作させる感震リレーとを備えた感震遮断機能付分電盤であって、感震リレーは、地震感知後の所定のタイミングで主幹漏電ブレーカを遅延遮断させる擬似漏電出力部に加えて、特定の震度以上の地震を感知したら即時に地震発生信号を出力する警報出力部を有し、分岐ブレーカのうち少なくとも２つが、請求項１に記載の外部制御機能付ブレーカであると共に、遮断操作信号が地震発生信号であって、警報出力部と任意の１つの外部制御機能付ブレーカの信号入力部とが接続されると共に、当該外部制御機能付ブレーカの信号出力部と他の外部制御機能付ブレーカの信号入力部とが接続され、地震発生信号の伝送経路が、外部制御機能付ブレーカ間で直列に形成されて成ることを特徴とする。
この構成によれば、１台の感震リレーを設置するだけで、主幹漏電ブレーカの遅延遮断と複数の分岐ブレーカの即時遮断の双方を実施でき、分電盤を大型化することなく感震遮断機能を設けることが可能となる。
【発明の効果】
【０００８】
本発明に係る外部制御機能付ブレーカによれば、遮断操作信号を入力する信号入力部に加えて、遮断操作信号を出力する信号出力部を備えることで、外部の遮断操作信号で強制遮断するブレーカが複数設置されても、信号出力部を他のブレーカの信号入力部に接続して、ブレーカ間の遮断操作信号の経路が直列になるよう接続すれば、外部からの遮断操作信号を１つの外部制御機能付ブレーカの信号入力部に接続するだけで、強制遮断させたい全てのブレーカを遮断動作させることができる。よって、遮断操作信号を生成する機器は１つで良く省スペースで組み付けできるし、結線作業を簡略化できる。
また、本発明に係る感震遮断機能付分電盤によれば、１台の感震リレーを設置するだけで、主幹漏電ブレーカの遅延遮断と複数の分岐ブレーカの即時遮断の双方を実施でき、分電盤を大型化することなく感震遮断機能を設けることが可能となる。
【図面の簡単な説明】
【０００９】
【図１】本発明に係る感震遮断機能付分電盤の一例を示す構成図である。
【図２】感震リレーの回路ブロック図である。
【図３】第２分岐ブレーカの回路ブロック図である。
【発明を実施するための形態】
【００１０】
以下、本発明を具体化した実施の形態を、図面を参照して詳細に説明する。図１は本発明に係る感震遮断機能付分電盤の一例を示す構成図であり、２本の電圧相Ｌ１，Ｌ２と中性相Ｎの３本から成る単相３線式電路（以下、単に「電路」とする。）Ａから複数の分岐電路を形成する分電盤１０を示している。図１において、１は漏電遮断機能を備えた主幹漏電ブレーカ（主幹ＥＬＢ）、２，３は分岐ブレーカ、４は感震リレーである。但し、分岐ブレーカ２，３のうち、２（２ａ〜２ｎ）は従来の分岐ブレーカ（以下、「第１分岐ブレーカ」とする。）、３（３ａ〜３ｎ）は後述する外部制御機能付ブレーカ（以下、「第２分岐ブレーカ」とする。）である。
【００１１】
主幹ＥＬＢ１の一次側には電路Ａの引き込み線（一次側電路Ａ１）が接続され、二次側の電路Ａ（二次側電路Ａ２）からは第１分岐ブレーカ２を介して分岐電路Ｂ１（Ｂ１ａ〜Ｂ１ｎ）が形成され、第２分岐ブレーカ３を介して分岐電路Ｂ２（Ｂ２ａ〜Ｂ２ｎ）が形成されている。
そして、主幹ＥＬＢ１を挟んだ電路Ａに感震リレー４が接続され、特定の震度以上の地震が発生したら、主幹ＥＬＢ１を挟んだ電路Ａに擬似漏電を発生させて主幹ＥＬＢ１を遮断動作させるよう構成されている。
【００１２】
図２は感震リレー４の回路ブロック図を示している。図２に示すように、地震を感知して揺れに応じた信号を出力する感震センサ４１、擬似漏電を出力する擬似漏電出力部４２、地震発生を発報報知すると共に外部に地震発生信号を出力するための警報出力部４３、感震センサ４１からの揺れ情報を受けて震度を判定する感震リレーＣＰＵ４４等を備えている。
感震リレーＣＰＵ４４は、感震センサ４１の計測データから、感知した地震が震度５等の予め設定された震度或いはそれより大きい震度である場合に、警報出力部４３から地震発生信号を出力させる。また、タイマ４４ａを有して予め設定した一定時間後に擬似漏電出力部４２から接続先の電路Ａに擬似漏電電流を流す。即ち、擬似漏電を発生させる。
【００１３】
図３は第２分岐ブレーカ３の回路ブロック図を示している。第２分岐ブレーカ３は、分岐電路を形成するために二次側電路Ａ２に接続される一対の端子からなる一次側端子、分岐電路Ｂ２を接続する二次側端子（図示せず）に加えて、図３に示すように入力端子（信号入力部）３１、出力端子（信号出力部）３２、入力した信号が感震リレー４が出力する地震発生信号であればそれを受信する信号受信部３３、電路を遮断させる遮断機構部３４、第２分岐ブレーカ３を制御するブレーカ制御部３６等を備えている。
そして、入力端子３１に地震発生信号が入力されると、ブレーカ制御部３６の制御により、例えば遮断機構部３４に設けられているプランジャを備えたマグネットコイルを通電してプランジャをトリップ動作させる。更に、ブレーカ制御部３６が新たな地震発生信号を生成して出力端子３２から出力する。
【００１４】
尚、第２分岐ブレーカ３は、図示しないが過電流及び短絡電流の発生を受けて遮断機構部３４を遮断動作させる過電流遮断機能を備えており、分岐ブレーカとしての基本機能を合わせて備えている。
【００１５】
次に、感震リレー４、第２分岐ブレーカ３の接続及び動作を具体的に説明する。図１に示すように、感震リレー４の擬似漏電出力部４２は、主幹ＥＬＢ１の一次側電路Ａ１の２つの電圧相Ｌ１，Ｌ２うちの一方の電圧相Ｌ２に接続線Ｓ１により接続されている。また感震リレー４は、この擬似漏電出力部４２に擬似漏電を出力させるための入力部（図示せず）を有し、入力部は接続線Ｓ２により二次側電路Ａ２の中性線Ｎに接続されている。
一方、感震リレー４の警報出力部４３は、第２分岐ブレーカ３のうちの１つの第２分岐ブレーカ３ａの入力端子３１に接続線Ｓ３により接続されている。尚、この時選択される第２分岐ブレーカ３は任意であり、感震リレー４に近いものを選択すれば良い。
【００１６】
そして、この第２分岐ブレーカ３ａの出力端子３２が、近傍に設置されている第２分岐ブレーカ３ｂの入力端子３１に接続線Ｓ４ａにより接続され、この第２分岐ブレーカ３ｂの出力端子３２が近傍の他の第２分岐ブレーカ３ｃの入力端子３１に接続線Ｓ４ｂにより接続され、更に第２分岐ブレーカ３間の出力端子３２と入力端子３１とが順次接続される。こうして、全ての第２分岐ブレーカ３の間で地震発生信号の伝送路が直列に接続されるように互いが接続される。
【００１７】
尚、図１において「ｉｎ」は入力端子３１、「ｏｕｔ」は出力端子３２を示している。また、感震リレー４は主幹ＥＬＢ１の二次側電路Ａ２に接続された電源部（図示せず）を有し、感震リレー４の接続線Ｓ２は中性線Ｎに接続された電源線を兼用している。
【００１８】
このように構成された感震遮断機能付分電盤１０は、感震リレー４が予め設定された特定の震度、或いはそれ以上の震度の地震を感知すると、警報出力部４３の図示しない報音部から警報を発すると共に、地震発生信号が警報出力部４３から出力される。また、３分等の所定時間後に擬似漏電出力部４２から擬似漏電が出力される。
【００１９】
一方、地震発生信号が伝送された第２分岐ブレーカ３では、信号受信部３３がそれを認識してブレーカ制御部３６が所定の制御を開始する。即ち、ブレーカ制御部３６の制御により遮断機構部３４が遮断動作し、分岐電路Ｂ２が遮断される。また、地震発生信号が生成されて出力端子３２から出力される。
この結果、伝送線Ｓ４ａ、Ｓ４ｂ・・により接続された他の第２分岐ブレーカ３も順次遮断動作する。
尚、第２分岐ブレーカ３が遮断動作してから一定時間後に、感震リレー４から出力される擬似漏電により主幹ＥＬＢ１が遮断動作する。
【００２０】
このように、１台の感震リレー４を設置するだけで、主幹漏電ブレーカ１の遅延遮断と複数の第２分岐ブレーカ３の即時遮断の双方を実施でき、分電盤１０を大型化することなく感震遮断機能を設けることが可能となる。
また、即時遮断する第２分岐ブレーカ３は、地震発生信号を入力する入力端子３１に加えて、地震発生信号を出力する出力端子３２を備えるため、第２分岐ブレーカ３を複数設置しても、出力端子３２を他の第２分岐ブレーカ３の入力端子３１に接続して、第２分岐ブレーカ３間の地震発生信号の経路が直列になるよう接続すれば、感震リレー４からの地震発生信号を１つの第２分岐ブレーカ３の入力端子３１に接続するだけで、強制遮断（即時遮断）させたい全ての分岐ブレーカを遮断動作させることができる。よって、地震発生信号を生成する感震リレー４は１つで良く省スペースで組み付けできるし、結線作業を簡略化できる。
【００２１】
尚、感震リレー４は、地震感知後一定の時間が経過したら擬似漏電を出力するが、遅延動作のタイミングを時間で規定しなくとも良く、地震発生による停電に合わせても良いし、その後の復電に合わせても良い。
また、上記実施形態の第２分岐ブレーカ３は、入力端子３１に地震発生信号が入力されたら遮断動作するが、遮断動作させる遮断操作信号は予め設定すれば良く、メーク接点信号、ブレーク接点信号の何れでも良い。但し、出力端子３２からは入力信号と同一の信号が出力されるよう制御される。
更に、単相３線式電路の分電盤に適用した構成を示したが、本発明の感震遮断機能付分電盤は単相２線式電路や三相３線式電路に対しても容易に適用できるものである。
【符号の説明】
【００２２】
１・・主幹漏電ブレーカ、２（２ａ，・・２ｎ）・・第１分岐ブレーカ（分岐ブレーカ）、３（３ａ，・・３ｎ）・・第２分岐ブレーカ（外部制御機能付ブレーカ）、４・・感震リレー、１０・・分電盤、３１・・入力端子（信号入力部）、３２・・出力端子（信号出力部）、３３・・信号受信部、３４・・遮断機構部、３６・・ブレーカ制御部、４１・・感震センサ、４２・・擬似漏電出力部、４３・・警報出力部、４４・・感震リレーＣＰＵ、Ａ・・単相３線式電路、Ｂ１，Ｂ２・・分岐電路。
【図１】
0006670679.tif 000002
【図２】
0006670679.tif 000003
【図３】
0006670679.tif 000004